(57)【要約】【課題】  目的地或いは現在位置を特定する場合の情報量を増加することができ、汎用性を向上することができるナビゲーション装置を提供する。【解決手段】施設に関する位置並びに施設名に関連付けされたＭＡＰ情報を記憶した記憶部１と、ＭＡＰ情報とは異なる設備に関する位置並びに設備特定番号に関連付けされた特定設備情報を記憶した第二の記憶部３と、ＧＰＳ回路部２で求めた現在位置情報を記憶部１に記憶されたＭＡＰ情報並びに第二の記憶部３に記憶された特定設備情報に基づいて展開してモニタ５で表示する。【選択図】図１
2007010417.tif 000002
【特許請求の範囲】
【請求項１】
施設に関する位置並びに施設名に関連付けされたＭＡＰ情報を記憶した記憶部と、ＧＰＳ回路部で求めた現在位置情報を前記記憶部に記憶されたＭＡＰ情報に展開してモニタ表示すると共に、前記記憶部に記憶されたＭＡＰ情報に基づいて設定された目的地までを案内するナビゲーション装置において、
前記ＭＡＰ情報とは異なる設備に関する位置並びに設備特定番号に関連付けされた特定設備情報を記憶した第二の記憶部とを備え、該第二の記憶部に記憶された特定設備情報を前記現在位置情報並びに前記ＭＡＰ情報と共にモニタ表示することを特徴とするナビゲーション装置。
【請求項２】
前記第二の記憶部に記憶された特定設備情報を利用して前記設備毎の管理情報を展開しても似た表示することを特徴とするナビゲーション装置。
【発明の詳細な説明】
【技術分野】
【０００１】
本発明は、現在位置の表示や目的地までの案内等を行うナビゲーション装置に関するものである。
【背景技術】
【０００２】
【特許文献１】特開２００３−２９４４５９
【０００３】
近年ＧＰＳ（Ｇｌｏｂａｌ  Ｐｏｓｉｔｉｏｎｉｎｇ  Ｓｙｓｔｅｍ）衛星を利用するナビゲーション装置が普及し、自動車等に搭載されている。現在使用されているナビゲーション装置の多くは、その情報量が多いことから、地図データ等の記憶媒体としてＤＶＤ−ＲＯＭを採用しており、ＧＰＳを利用して得られた測位情報をＤＶＤ−ＲＯＭに記憶されている地図データに重ねて表示することにより、現在位置の表示や目的地までの案内を行っている。
【０００４】
ＤＶＤ−ＲＯＭは、それまでのＣＤ−ＲＯＭに比べて地図データを詳細に記憶することができると共に、地図データ以外の情報として、電話番号データ，住所データ等を関連付けして記憶することによりナビゲーション装置の利便性を向上させている。
【０００５】
この際、店舗の閉店・開店等の更新情報や最新情報を反映するためには、ＤＶＤ−ＲＷのような書き換え可能な大容量保存媒体を用い、本来保存されているデータをインターネット回線或いはデジタル放送やデータ放送などの通信回線を利用して入手した情報データ（文字データ，画像データ，音声データやマルチメディア・コンテンツデータなど）で修正する。
【０００６】
衛星データ放送は静止衛星であり且つＳＨＦ帯なので周波数が高くビル影などでは受信できない。一方、地上データ放送はＶＨＦ、ＵＨＦ帯で衛星よりも周波数が低いのでビル陰であっても受信できる可能性が高い。ビル影など衛星データ放送の受信できない地域はあらかじめわかっているので、このデータを記憶しておき、この地域に車が入るとＧＰＳなどの地球測位システムによる測位により自動的に地上データ放送に切り換えるなどして、これらの電波の特質を利用して、受信の自動切りかえにより受信不能エリヤを減らすことができる。また衛星データ放送も地上データ放送も受信できない所ではＤＶＤなどの記憶媒体に保存されたデータを再生することも可能である。
【０００７】
この場合の更新情報の供給手段としては、衛星波あるいは地上波によるデータ放送または通信回線を利用するインターネットなどのネットワークシステムが利用可能である。最新情報の入手は、走行中に衛星波あるいは地上波によるデータ放送またはネットワークシステムを経由して車上装置で入手する方法と、出発前に衛星波あるいは地上波によるデータ放送あるいはネットワークシステムを経由して固定装置で入手する方法とがある。また、ナビゲーション装置に用いる場合に、ＧＰＳなどの測位システムにより得られた地点データから、固定情報以外の追加情報や一時的情報を検索し提示することにより、さらに利便性は向上する。
【０００８】
一時的情報としてイベント情報あるいは店舗情報を提供する場合には、情報掲載を有料で行うことができる。さらに、提供情報中にキーワードを送信し、そのキーワードを利用した顧客への割引、顧客の利用が確認されたことによる追加の掲載料の徴収を行うビジネスモデルも考えられる。
【０００９】
データ放送の伝送手段として、アナログ放送においては、画像の隙間ＶＢＩ（Ｖｅｒｔｉｃａｌ  Ｂｌａｎｋｉｎｇ  Ｉｎｔｅｒｖａｌ）を利用したデータ放送、音声の隙間ＡＳＣ（Ａｕｄｉｏ  Ｓｕｂｃａｒｒｉｅｒ  Ｃｈａｎｎｅｌ）を利用した音声多重データ放送、さらにＦＭデータ多重放送も利用できる。一般的には、衛星アナログ放送の場合はＶＢＩ、地上アナログ放送の場合はＶＢＩまたはＡＳＣを使用して、データ放送がなされる。なお、本明細書中では、衛星放送により行われるデータ放送に言及する場合には「衛星データ放送」と表現し、地上放送により行われるデータ放送に言及する場合には「地上データ放送」と表現し、単に「データ放送」という場合は、これらの双方を含むものである。また、単に「衛星放送」（ＢＳ放送及びＣＳ放送を含む）という場合は、衛星アナログ放送及び衛星デジタル放送を含み、同様に単に「地上放送」という場合は、地上アナログ放送及び地上デジタル放送の双方を含むものである。
【００１０】
読み出し専用記憶媒体としてのＤＶＤ−ＲＯＭの記憶領域には、ナビゲーションシステムのためのアプリケーションを記録する基本システム領域と、ナビゲーション用の固定地図情報領域と、地図情報以外の情報領域として固定情報領域とが設けられる。また、書き換え可能な記憶媒体としてのＤＶＤ−ＲＷの記憶領域には、追加地図情報領域、店舗情報領域、イベント情報領域等が設けられる。
【００１１】
ＤＶＤ−ＲＷの書き換えは、車上、家庭、営業所等において、地上データ放送により最新データを得て、ＤＶＤ−ＲＷに記録する。最新データの配信は、地上データ放送以外に、たとえば無線の電話回線を利用したインターネットによってもよい。また、固定受信端末に設置した場合は、有線の電話回線やケーブルテレビ回線を利用したインターネットによってもよい。
【００１２】
このように記録されたＤＶＤ−ＲＯＭ及びＤＶＤ−ＲＷの利用は、ナビゲーション装置においてなされる。先に述べたように、情報の記録媒体は、読み出し専用のＤＶＤ−ＲＯＭと、書き換え可能なＤＶＤ−ＲＷにより構成される。ここで読み出し専用とは書き換えを行わないという意味であり、書き換え可能な記録媒体であっても差し支えない。
【００１３】
車が移動して特定の場所につくと、ＧＰＳなどの測位システムによりその場所の緯度経度を測定する。さらに運転者が望む項目、年月日時刻を設定すると、その近くの劇場，レストラン，その日時時刻の演目，料理メニュー，景色情報，催し物情報などが表示される。この情報により運転者は行き先を決定することができる。ＧＰＳなどの測位システムから得られる緯度経度情報の代わりに、郵便番号または市外局番で検索するように構成することも可能である。また、郵便番号に代えて他の地域を示すコードや地名により検索するよう構成することもできる。
【００１４】
尚、ＤＶＤ−ＲＯＭに保存されていた固定情報を、ＦＤ等の交換可能な記憶媒体あるいはＩＣカード等の半導体メモリ装置に記録された最新のデータで修正してもよい。また、記録媒体として書き換え不可能なＣＤ−ＲＯＭあるいはＤＶＤ−ＲＯＭを用いる場合には、ＦＤ（フレキシブルディスク），フラッシュメモリ・カードやＩＣカードなどの可搬型記憶媒体を用いたり、バッテリバックアップされた揮発性メモリあるいはＥＥＰＲＯＭなどの機器内蔵の記憶媒体やＦｅＲＡＭ（強誘電体メモリ），ＭＲＡＭ（磁気メモリ），ＯＵＭ（相変化メモリ）を用いて、書き換え可能な記憶部を構成してもよい。
【００１５】
また、最近では、ハードディスクも耐衝撃性が向上しているので、可搬型あるいは車載の固定型として利用することも可能である。両面タイプのＤＶＤ−ＲＷ装置を使用する場合には、ＤＶＤ−ＲＯＭディスク，追記型のＤＶＤ−Ｒディスク及び書き換え可能型のＤＶＤ−ＲＷディスクを組み合わせて張り合わせ、固定情報，追加情報，一時的情報を目的に合わせて記録することもできる。
【００１６】
これらの場合の更新情報の供給手段としては、衛星波あるいは地上波によるデータ放送または通信回線を利用するインターネットなどのネットワークシステムが利用可能である。最新情報の入手は、走行中に衛星波あるいは地上波によるデータ放送またはネットワークシステムを経由して車上装置で入手する方法と、出発前に衛星波あるいは地上波によるデータ放送あるいはネットワークシステムを経由して固定装置で入手する方法とがある。
【００１７】
一時的情報としてイベント情報あるいは店舗情報を提供する場合には、情報掲載を有料で行うことができる。さらに、提供情報中でキーワードを送信し、そのキーワードを利用した顧客への割引、顧客の利用が確認されたことによる追加の掲載料の徴収を行うビジネスモデルも考えられる。
【００１８】
また、移動体向けモバイルデータにより走行中にＤＶＤなどの記録媒体を書き換える方法もある。さらに、放送の代わりにインターネットによりデータをダウンロードする方法もある。 データ放送の伝送手段として、画像の隙間ＶＢＩ（Ｖertical Ｂlanking Ｉnterval）を利用したデータ放送、音声の隙間ＡＳＣ（Ａudio Ｓubcarrier Ｃhannel）を利用した音声多重データ放送、さらにＦＭデータ多重放送も利用できる。
【００１９】
ＢＳデジタル放送，ＣＳデジタル放送，地上データ放送を利用した全体システムを図４に示す。文字データ，画像データ（動画，静止画などの映像データ），音声データ，マルチメディア・コンテンツデータなどの情報データは管理データＰＣに送られる。このＰＣにより管理データが付加され、衛星ＳＴＬへ送られる。衛星ＳＴＬからＢＳまたはＣＳに打ち上げられたデータは衛星を経由して、家庭・企業または車の衛星受信機へ送られる。
【００２０】
このデータはＤＶＤ−ＲＷなど書き換え可能記録媒体への書き込み装置に伝送される。受信者はこのＤＶＤなどをカーナビゲータ装置に装入して車の運転補助に供する。または、車で受信する場合は常時データを更新する。車は移動した地点でＧＰＳ衛星より緯度経度データを受信しその地点でのデータをＤＶＤなどから検索する。
【００２１】
管理データＰＣにより作成されるデータ構成例としては、最初に郵便番号または市外局番・緯度・経度・項目データ（インデックスデータ）・年月日時刻・画像・情報データが並ぶ。画像・情報データの例は、地図，駅，トイレ，公園，学校，役所，温泉，観光地，レジャーランド，デパート（大型店舗），コンビニエンスストア（小売店舗），ホテル（宿泊施設），レストラン（飲食店），ガソリンスタンド，駐車場，銀行，コインパーキング，病院，劇場，映画館，体育館，競技場等であり、文字データと画像・音声データとがある。
【００２２】
さらに、車向けのＣＭとして、例えば点検サービス情報，ガソリンスタンド情報，修理工場情報，自動車部品情報などがある。これらの情報には内容に合わせて項目データが付けられる。ＤＶＤは３時間位のテレビ動画データを記録できるので、これらの情報は十分記録が可能である。
【００２３】
このデータは、衛星データ放送（ＢＳデジタル放送，ＣＳデジタル放送など）から送出されるものと、地上データ放送によるものとでは、その詳細度が異なるものである。衛星から送出されるデータは全国的な情報であるからおおまかな広域情報であり、たとえば、レストランの位置情報である。地上データ放送によるデータは受信エリアの狭さに応じた詳細情報であり、たとえば、レストランのメニューやタイムサービスプランである。
【００２４】
詳細情報は、地上波によるものであり受信地域が限定されているため、地域密着型の情報、たとえば 一時的情報としてイベント情報あるいは店舗案内情報を提供できるし、さらに、提供情報中でキーワードを送信し、そのキーワードを利用した顧客への割引を行うような利用形態が可能であるから、情報掲載の有料化や、顧客の利用が確認されたことに依る追加の掲載料の徴収を行ってもよい。広域情報は衛星データ放送（ＢＳデジタル放送，ＣＳデジタル放送など）から得るのに代えて、ＤＶＤなどの記録媒体から得てもよい。
【００２５】
データは、衛星データ放送（ＣＳデジタル放送，ＢＳデジタル放送など）及び／または地上データ放送により受信端末に送られてくるから、これをＤＶＤなどの記憶媒体に記録する。記憶媒体は、車上のナビゲーション装置あるいは本発明に係る誘導補助装置に格納され、運転者とともに移動する。車の移動先においてはＧＰＳなどの測位システムにより車の現在位置を測定し、位置情報を得る。位置情報とは別に、運転者の知りたい項目を誘導補助装置に設定する。また、要求する情報の種類によっては日付も設定する必要がある。
【００２６】
これらの設定を満たす情報表示（画面表示のみでなく音声によるものも表示に含まれる）としては、放送側では、「よい景色の写真」や「よい景色の動画」を予め準備しておき、このデータを位置とリンクさせるために位置データを含む管理情報を作成し、付加する。管理情報が付加された写真または動画のデータは所定の間隔で放送される。受信側では、写真または動画のデータを蓄積し、直接ＤＶＤのデータを書き換えるか、ワークメモリ上でのデータを書き換える。または所望により他の記憶媒体に保存しておき、表示時にデータの差し替えあるいは重畳表示を行う。移動先においては、ＧＰＳなどの測位システムにより車の現在位置が判明するから、受信データ中の管理情報を用いて近傍情報を検索する。
【００２７】
この近傍情報の検索には、現在位置からの距離が重要であるが、他の情報たとえば時期・時間帯による条件も重要であり、これらの条件を満たしたものが検索ののち表示される。運転者は、表示されたものを見て、あるいは音声を聞いて、それらの中から希望に合致するものを選び、車の進行方向を決定する。
【００２８】
車の移動中や停止中に、ＧＰＳなどの測位システムによりその場所の緯度経度を測定する。さらに運転者が望む項目、年月日時刻を設定すると、その近くの劇場，レストラン，その年月日時刻の演目，料理メニュー，景色情報，催し物情報などが表示される。この情報により運転者は行き先を決定することができる。この場合の検索においては日時の完全一致でなくある範囲での検索や、ある日時以前，以降などの変形も利便性向上に有効である。また、広域情報から特定の情報を運転者が指定することにより、その特定情報に対応する詳細情報を表示する。ＧＰＳなどの測位システムから得られる緯度経度情報の代わりに、郵便番号または市外局番で検索するように構成することも可能である。また、郵便番号に代えて他の地域を示すコードや地名により検索するよう構成することもできる。
【００２９】
ＤＶＤの内容は運転者の自宅などで衛星データ放送（ＢＳデジタル放送，ＣＳデジタル放送など），地上データ放送，モバイル用データ放送などのデータ放送により、あるいはインターネット回線により新しい内容に書き換えられる。これにより、固定受信端末向けのデータ放送であっても準モバイル放送に近い利用を可能にする。また、モバイル用データ放送を受信する場合や携帯電話によるインターネット回線を利用する場合には、移動中の車でＤＶＤを書き換えることもできる。この場合は常時データ更新が可能である。
【００３０】
ＲＷ型ＤＶＤ，ＤＶＤカーナビゲータ，ＧＰＳはすべて既存の装置であるので開発費が安い。ＢＳデジタル放送，ＣＳデジタル放送，地上データ放送などは既存の設備で間に合う。また、上記の画像情報などを衛星データ放送（ＢＳデジタル放送，ＣＳデジタル放送など）やモバイル用データ放送で受信すると、ビル影などでの受信電波の障害による受信障害が避けられない。この点ＤＶＤなどでは受信障害が起こらない。本システムはデータ放送とＧＰＳが受信できる場所なら世界中で使用できる。
【００３１】
衛星データ放送（ＢＳデジタル放送，ＣＳデジタル放送など）からのデータ（画像データ，音声データ，マルチメディア・コンテンツデータなど）を固定受信端末で記録する場合には、固定受信部分を車に搭載する必要が無く、車へのデータ提供を記憶媒体の移動によることにした場合は、車が最新の大量データを搭載して、移動しながらＧＰＳの位置データによりモバイル用データ放送のような利用が可能となる。
【００３２】
他の実施態様として、衛星データ放送（ＢＳデジタル放送，ＣＳデジタル放送など）やモバイル用データ放送を受信し車の中でデータを書き換えるなら、移動中においてデータ放送を受信できる地点にいるときにデータ（画像データ，音声データ，マルチメディア・コンテンツデータなど）を受信しＤＶＤに記録して、データをビル影などの受信障害時の補完に応用できる。
【００３３】
すなわち、データ放送が受信障害無く受信できる場所で、リアルタイムな情報を受信しＤＶＤなどメモリ装置に保存しておき、ビル影などデータ放送が受信できない場所ではそのデータ（画像データ，音声データ，マルチメディア・コンテンツデータなど）を再生することにより、あたかもビル影障害がないような表示処理が可能である。その結果ギャップフィラーなど受信障害対策の巨大な設備投資を節約することができる。
【００３４】
尚、ＩＴＳ（Ｉnteligent Ｔransport Ｓystem：高度道路交通システム）における道路交通情報通信システムを利用して、最新のデータたとえば駐車場の空き情報などを配信することができる。
【発明の開示】
【発明が解決しようとする課題】
【００３５】
ところで、上記の如く構成されたナビゲーション装置にあっては、目的地を設定する場合の検索条件としては、住所や電話番号等の文字データ情報ほか、地図，駅，トイレ，公園，学校，役所，温泉，観光地，レジャーランド，デパート（大型店舗），コンビニエンスストア（小売店舗），ホテル（宿泊施設），レストラン（飲食店），ガソリンスタンド，駐車場，銀行，コインパーキング，病院，劇場，映画館，体育館，競技場等の不特定多数の利用者を想定した施設（建物）や寺院等の比較的大きな建物（敷地）を備えた施設等の施設情報（施設名や建物名・住所・電話番号等）が設定されている。
【００３６】
そして、これらの文字データ情報や施設情報とは、目的地設定の他、経路途中の表示用情報として用いられており、道路や住所等に畳重したＭＡＰ情報として画面表示している。
【００３７】
しかしながら、これらのＭＡＰ情報、特に施設情報のうちの店舗系に関する情報は比較的閉店・開店等の変更が比較的多いうえ、住宅地内に入った場合にはこれらの店舗系の施設が少ないため、これらの情報が画面上に表示されないために位置特定を画面と目視とにより確認することが困難となるという問題が生じていた。
【００３８】
このような問題は、ＧＰＳを利用しての現在位置の認識には、３つの衛星を利用しなければならないという問題や、雨天等の衛星電波の遅延などによって実際の現在位置と画面上の現在位置とにずれが発生している場合などには不都合を生じてしまう。
【００３９】
また、最近の住宅地にあっては住所表示をしていない場合が多く、個人情報の保護の観点から更新情報として取り入れ得る情報に制限も掛かってくる。
【００４０】
したがって、現在位置から目的地を設定し、その目的地付近に達した場合、或いは、目的地設定をせずに移動した際に道を間違えてしまった場合など、現在位置をＧＰＳにより取得して画面上で現在位置を表示することは可能であっても、その現在位置が具体的に何処なのかを住所等の詳細情報として得ることができなかったり、現在位置を修正したい場合の入力情報を周辺環境から得ることができないといった不都合を発生させてしまう。
【００４１】
また、設備、例えば、電気（電柱）、電話、ケーブルテレビ、ガス、上下水道等の設備業者（下請け管理や工事業者を含む）にあっては、その作業を行う場合、独自で作成した業務用の設備ＭＡＰと住宅地図とを別々に見ながら行っている。
【００４２】
したがって、設備の故障等があった場合、その設備付近までは住所で目的地設定を行ってナビゲーションシステムを利用して移動し、目的地付近においては独自に作成した設備ＭＡＰにより設備の特定を行うといった煩雑な作業を強いられていた。
【００４３】
本発明は、上記問題を解決するため、目的地或いは現在位置を特定する場合の情報量を増加することができ、汎用性を向上することができるナビゲーション装置を提供することを目的とする。
【課題を解決するための手段】
【００４４】
その目的を達成するため、請求項１に記載のナビゲーション装置は、施設に関する位置並びに施設名に関連付けされたＭＡＰ情報を記憶した記憶部と、ＧＰＳ回路部で求めた現在位置情報を前記記憶部に記憶されたＭＡＰ情報に展開してモニタ表示すると共に、前記記憶部に記憶されたＭＡＰ情報に基づいて設定された目的地までを案内するナビゲーション装置において、前記ＭＡＰ情報とは異なる設備に関する位置並びに設備特定番号に関連付けされた特定設備情報を記憶した第二の記憶部とを備え、該第二の記憶部に記憶された特定設備情報を前記現在位置情報並びに前記ＭＡＰ情報と共にモニタ表示することを特徴とする。
【００４５】
請求項２に記載のナビゲーション装置は、前記第二の記憶部に記憶された特定設備情報を利用して前記設備毎の管理情報を展開しても似た表示することを特徴とする。
【発明の効果】
【００４６】
本発明のナビゲーション装置によれば、目的地或いは現在位置を特定する場合の情報量を増加することができ、汎用性を向上することができる。
【発明を実施するための最良の形態】
【００４７】
次に、本発明のナビゲーション装置を図面に基づいて説明する。尚、本発明のナビゲーション装置は、車両用のナビゲーション装置のほか、モバイル端末や携帯電話などにも適用することができる。また、ナビゲーションシステムの現在位置の特定や目的地までの経路検索並びにその経路案内等の設定や案内・表示は公知の技術であるためのその詳細な説明は省略する。さらに、データの更新等は上述した従来技術に示したように可能とすることが好ましい。
【００４８】
図１は、本発明のナビゲーション装置を示し、１はＭＡＰ情報を記憶した記憶部である。この記憶部１は、住所または電話番号・緯度・経度・項目データ（インデックスデータ）・年月日時刻・画像・情報データが並ぶ。画像・情報データの例は、地図，駅，トイレ，公園，学校，役所，温泉，観光地，レジャーランド，デパート（大型店舗），コンビニエンスストア（小売店舗），ホテル（宿泊施設），レストラン（飲食店），ガソリンスタンド，駐車場，銀行，コインパーキング，病院，劇場，映画館，体育館，競技場等であり、文字データと画像・音声データとがある。また、これらは目的地設定等のメニュー画面の検索項目として利用される。
【００４９】
また、符号２はＧＰＳ受信アンテナ（図示せず）等を備えた現在位置特定のためのＧＰＳ回路部である。尚、このＧＰＳ回路部２の機能は周知であるため、ここではその説明を省略する。また、このＧＰＳ回路部２と併用して、本発明のナビゲーション装置を車両用として使用する場合には走行状態（方向等）を現在位置情報として利用するためのジャイロが用いられる。
【００５０】
さらに、符号３は、行政（市区町村）や設備（電気・ガス・水道・ケーブルテレビ等）業者がその業界（行政を含む）で使用している特定設備（電柱・カーブミラー・レベルメータ・マンホール・給水管・ルータ・電線・ケーブル・分配器等）の個々に付与された番号とその位置情報、並びにその関連情報を特定設備情報として記憶した第二の記憶部である。尚、ここでの位置情報としては、上述した記憶部１に記憶された住所との関連付けや緯度・経度との関連付けを意味する。また、関連情報とは、例えば、電柱の場合にはその電柱固有の管理番号の他、その電柱が支持する電気配線ケーブル等がどの分配器等に接続されているか等が該当する。同様に、例えば、マンホールの場合には、そのマンホール固有の管理番号の他、どの家庭からの下水が流れてくるのか等が該当する。また、配水管の場合には配管番号の他、どの家庭へと給水しているのか等のように、その設備毎の特定業者が作成・保有している設計図情報が利用される。
【００５１】
これら、各記憶部１，３並びにＧＰＳ回路部２で受信された現在位置情報は、画像制御回路４に入力され、モニタ５に所定の表示がなされる。この際、モニタ５の表示には、例えば、図２に示すように、道路６，自車マーク７，施設（例えば、ガソリンスタンド）マーク８、住所表示９等の記憶部１に記憶されたＭＡＰ情報と、電柱マーク１０といった第二の記憶部３に記憶された特定設備情報とが表示される。
【００５２】
これにより、例えば、電気管理会社が特定の電柱のメンテナンスを行う場合には、周知の目的地設定の作業と同様の操作によってその電柱管理番号などの特定設備情報を利用した電柱位置を特定することにより、現在位置から目的地である電柱までを経路を検索して案内することができる。
【００５３】
また、電柱に付与されているタグ等に記載の電柱番号を入力することにより現在位置（住所）を表示することができる。
【００５４】
さらに、電気配線管理業者が利用する場合には、業者専用の情報としての利用形態として、例えば、ある電柱に接続されている電線が何らかの理由により切断してしまった場合、図３の斜線で示すように、電柱を特定してその電線の切断に伴う停電エリア（関連エリア）１１を道路６や住所表示９と一緒に表示するといった管理情報を展開（切り替え）表示することもできる。
【００５５】
このように、本発明のナビゲーション装置にあっては、いままでの個人宅特定のための住所や電話番号（但し、電話帳記載などの許可を得たもの）を含めた施設（住所または電話番号・緯度・経度・項目データ（インデックスデータ）・年月日時刻・画像・情報データ、また、その画像・情報データとしての、地図，駅，トイレ，公園，学校，役所，温泉，観光地，レジャーランド，デパート（大型店舗），コンビニエンスストア（小売店舗），ホテル（宿泊施設），レストラン（飲食店），ガソリンスタンド，駐車場，銀行，コインパーキング，病院，劇場，映画館，体育館，競技場等のＭＡＰ情報のみならず、行政（市区町村）や設備（電気・ガス・水道・ケーブルテレビ等）業者がその業界（行政を含む）で使用している特定設備（電柱・カーブミラー・レベルメータ・マンホール・給水管・ルータ・電線・ケーブル・分配器等）の個々に付与された番号とその位置情報、並びにその関連情報を特定設備情報として利用することにより、目的地或いは現在位置を特定する場合の情報量を増加することができ、しかも、その特定業者用としての専用ナビゲータとしての利用も可能となるといった汎用性を向上することができる。
【００５６】
ところで、上述した特定設備情報は、インターネット回線或いはデジタル放送やデータ放送などの通信回線を利用して入手することもできる。また、ＭＡＰ情報並びに特定設備情報は一つの記憶媒体（例えば、ＤＶＤ−ＲＯＭやハードディスクなど）に記憶しても良いし、別々の記憶媒体に記憶しても良い。
【図面の簡単な説明】
【００５７】
【図１】本発明のナビゲーション装置のブロック図である。
【図２】本発明のナビゲーション装置の表示例を示すモニタ画面の正面図である。
【図３】本発明のナビゲーション装置の他の表示例を示すモニタ画面の正面図である。
【図４】従来のナビゲーションシステムのブロック図である。
【符号の説明】
【００５８】
１…記憶部
２…ＧＰＳ回路部
３…第二の記憶部
４…画像制御回路
５…モニタ
【図１】
2007010417.tif 000003
【図２】
2007010417.tif 000004
【図３】
2007010417.tif 000005
【図４】
2007010417.tif 000006